【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
被写体を撮像して得られた１又は複数の画像データを取得する画像データ取得工程と、
前記画像データに基づく画像が複数の表示領域に並列に表示されるよう構成された表示データを生成する表示データ生成工程と、
ユーザにより入力される、前記複数の表示領域のいずれかの表示領域に対する、その表示領域に表示された画像に対するスクロール又は表示倍率変更を含む表示状態の変更指示を取得する指示取得工程と、
前記変更指示の対象となった表示領域である指示対象表示領域以外の表示領域の各々について、その表示領域に表示される画像に対して、前記指示対象表示領域に表示される画像に対する表示状態の変更と連動させて前記変更指示に基づく表示状態の変更を適用する、連動対象表示領域とするか否かを決定する連動可否決定工程と、
前記指示対象表示領域に表示される画像に対して前記変更指示に基づく表示状態の変更を適用するとともに、それと連動させて、前記連動対象表示領域に表示される画像に対して前記変更指示に基づく表示状態の変更を適用する表示状態変更工程と、
を有し、
前記連動可否決定工程は、前記変更指示を取得したときの各表示領域に表示される画像の表示倍率に基づいて、各表示領域を連動対象表示領域とするか否かを決定する表示画面生成装置の制御方法。
【請求項２】
コンピュータに、
被写体を撮像して得られた１又は複数の画像データを取得する画像データ取得工程と、
前記画像データに基づく画像が複数の表示領域に並列に表示されるよう構成された表示データを生成する表示データ生成工程と、
ユーザにより入力される、前記複数の表示領域のいずれかの表示領域に対する、その表示領域に表示された画像に対するスクロール又は表示倍率変更を含む表示状態の変更指示を取得する指示取得工程と、
前記変更指示の対象となった表示領域である指示対象表示領域以外の表示領域の各々について、その表示領域に表示される画像に対して、前記指示対象表示領域に表示される画像に対する表示状態の変更と連動させて前記変更指示に基づく表示状態の変更を適用する、連動対象表示領域とするか否かを決定する連動可否決定工程と、
前記指示対象表示領域に表示される画像に対して前記変更指示に基づく表示状態の変更
を適用するとともに、それと連動させて、前記連動対象表示領域に表示される画像に対して前記変更指示に基づく表示状態の変更を適用する表示状態変更工程と、
を実行させるプログラムであって、
前記連動可否決定工程は、前記変更指示を取得したときの各表示領域に表示される画像の表示倍率に基づいて、各表示領域を連動対象表示領域とするか否かを決定するプログラム。
【請求項３】
被写体を撮像して得られた１又は複数の画像データを取得する画像データ取得手段と、
前記画像データに基づく画像が複数の表示領域に並列に表示されるよう構成された表示データを生成する表示データ生成手段と、
ユーザにより入力される、前記複数の表示領域のいずれかの表示領域に対する、その表示領域に表示された画像に対するスクロール又は表示倍率変更を含む表示状態の変更指示を取得する指示取得手段と、
前記変更指示の対象となった表示領域である指示対象表示領域以外の表示領域の各々について、その表示領域に表示される画像に対して、前記指示対象表示領域に表示される画像に対する表示状態の変更と連動させて前記変更指示に基づく表示状態の変更を適用する、連動対象表示領域とするか否かを決定する連動可否決定手段と、
前記指示対象表示領域に表示される画像に対して前記変更指示に基づく表示状態の変更を適用するとともに、それと連動させて、前記連動対象表示領域に表示される画像に対して前記変更指示に基づく表示状態の変更を適用する表示状態変更手段と、
を有し、
前記連動可否決定手段は、前記変更指示を取得したときの各表示領域に表示される画像の表示倍率に基づいて、各表示領域を連動対象表示領域とするか否かを決定する表示画面生成装置。
【請求項４】
前記連動可否決定工程は、指示対象表示領域以外の表示領域のうち、その表示領域に表示される画像の表示倍率と指示対象表示領域に表示される画像の表示倍率とが等しいか又はその差分が閾値より小さい表示領域を連動対象表示領域とする請求項１に記載の表示画面生成装置の制御方法。
【請求項５】
前記連動可否決定工程は更に、各表示領域に表示される画像に対応する被写体の情報と、各表示領域に表示される画像に対応する画像データの情報と、の少なくともいずれかに基づいて、各表示領域を連動対象表示領域とするか否かを決定する請求項１記載の表示画面生成装置の制御方法。
【請求項６】
前記被写体は検体から切り出した試料が載せられたプレパラートであり、前記被写体の情報は、試料を検体から切り出した位置の情報と、プレパラート作成方法の情報と、を含み、
前記連動可否決定工程では、
判定対象の表示領域に表示される画像に対応する前記位置の情報と前記指示対象表示領域に表示される画像に対応する前記位置の情報とが同じ、且つ、
前記判定対象の表示領域に表示される画像に対応する前記プレパラート作成方法と前記指示対象表示領域に表示される画像に対応する前記プレパラート作成方法とが同一、且つ、
判定対象の表示領域に表示される画像の前記表示倍率と前記指示対象表示領域に表示される画像の前記表示倍率とが等しいか又はその差分が閾値より小さい場合、
当該判定対象の表示領域を前記連動対象表示領域と決定し、
前記表示状態変更工程では、前記連動対象表示領域に表示される画像に対して、スクロールを連動させず、且つ、表示倍率の変更を連動させることを特徴とする請求項５記載の表示画面生成装置の制御方法。
【請求項７】
前記被写体は検体から切り出した試料が載せられたプレパラートであり、前記被写体の情報は、試料を検体から切り出した位置の情報と、プレパラート作成方法の情報と、を含み、
前記連動可否決定工程では、
判定対象の表示領域に表示される画像に対応する前記位置の情報と前記指示対象表示領域に表示される画像に対応する前記位置の情報とが同じ、且つ、
前記判定対象の表示領域に表示される画像に対応する前記プレパラート作成方法と前記指示対象表示領域に表示される画像に対応する前記プレパラート作成方法とが同一、且つ、
判定対象の表示領域に表示される画像の前記表示倍率と前記指示対象表示領域に表示される画像の前記表示倍率とが離れている場合、
当該判定対象の表示領域を前記連動対象表示領域と決定し、
前記表示状態変更工程では、前記連動対象表示領域に表示される画像に対して、スクロールを連動させ、且つ、表示倍率の変更を連動させないことを特徴とする請求項５記載の表示画面生成装置の制御方法。
【請求項８】
前記被写体は検体から切り出した試料が載せられたプレパラートであり、前記被写体の情報は、試料を検体から切り出した位置の情報と、プレパラート作成方法の情報と、を含み、
前記連動可否決定工程では、
判定対象の表示領域に表示される画像に対応する前記位置の情報と前記指示対象表示領域に表示される画像に対応する前記位置の情報とが近接しており、且つ、
前記判定対象の表示領域に表示される画像に対応する前記プレパラート作成方法と前記指示対象表示領域に表示される画像に対応する前記プレパラート作成方法とが異なり、且つ、
判定対象の表示領域に表示される画像の前記表示倍率と前記指示対象表示領域に表示される画像の前記表示倍率とが等しいか又はその差分が閾値より小さい場合、
当該判定対象の表示領域を前記連動対象表示領域と決定し、
前記表示状態変更工程では、前記連動対象表示領域に表示される画像に対して、スクロールを連動させ、且つ、表示倍率の変更を連動させることを特徴とする請求項５記載の表示画面生成装置の制御方法。
【手続補正２】
【補正対象書類名】明細書
【補正対象項目名】０００８
【補正方法】変更
【補正の内容】
【０００８】
本発明は、被写体を撮像して得られた１又は複数の画像データを取得する画像データ取得工程と、
前記画像データに基づく画像が複数の表示領域に並列に表示されるよう構成された表示データを生成する表示データ生成工程と、
ユーザにより入力される、前記複数の表示領域のいずれかの表示領域に対する、その表示領域に表示された画像に対するスクロール又は表示倍率変更を含む表示状態の変更指示を取得する指示取得工程と、
前記変更指示の対象となった表示領域である指示対象表示領域以外の表示領域の各々について、その表示領域に表示される画像に対して、前記指示対象表示領域に表示される画像に対する表示状態の変更と連動させて前記変更指示に基づく表示状態の変更を適用する、連動対象表示領域とするか否かを決定する連動可否決定工程と、
前記指示対象表示領域に表示される画像に対して前記変更指示に基づく表示状態の変更を適用するとともに、それと連動させて、前記連動対象表示領域に表示される画像に対して前記変更指示に基づく表示状態の変更を適用する表示状態変更工程と、
を有し、
前記連動可否決定工程は、前記変更指示を取得したときの各表示領域に表示される画像の表示倍率に基づいて、各表示領域を連動対象表示領域とするか否かを決定する表示画面生成装置の制御方法である。
【手続補正３】
【補正対象書類名】明細書
【補正対象項目名】０００９
【補正方法】変更
【補正の内容】
【０００９】
本発明は、コンピュータに、
被写体を撮像して得られた１又は複数の画像データを取得する画像データ取得工程と、
前記画像データに基づく画像が複数の表示領域に並列に表示されるよう構成された表示データを生成する表示データ生成工程と、
ユーザにより入力される、前記複数の表示領域のいずれかの表示領域に対する、その表示領域に表示された画像に対するスクロール又は表示倍率変更を含む表示状態の変更指示を取得する指示取得工程と、
前記変更指示の対象となった表示領域である指示対象表示領域以外の表示領域の各々について、その表示領域に表示される画像に対して、前記指示対象表示領域に表示される画像に対する表示状態の変更と連動させて前記変更指示に基づく表示状態の変更を適用する、連動対象表示領域とするか否かを決定する連動可否決定工程と、
前記指示対象表示領域に表示される画像に対して前記変更指示に基づく表示状態の変更を適用するとともに、それと連動させて、前記連動対象表示領域に表示される画像に対して前記変更指示に基づく表示状態の変更を適用する表示状態変更工程と、
を実行させるプログラムであって、
前記連動可否決定工程は、前記変更指示を取得したときの各表示領域に表示される画像の表示倍率に基づいて、各表示領域を連動対象表示領域とするか否かを決定するプログラムである。
【手続補正４】
【補正対象書類名】明細書
【補正対象項目名】００１０
【補正方法】変更
【補正の内容】
【００１０】
本発明は、被写体を撮像して得られた１又は複数の画像データを取得する画像データ取得手段と、
前記画像データに基づく画像が複数の表示領域に並列に表示されるよう構成された表示データを生成する表示データ生成手段と、
ユーザにより入力される、前記複数の表示領域のいずれかの表示領域に対する、その表示領域に表示された画像に対するスクロール又は表示倍率変更を含む表示状態の変更指示を取得する指示取得手段と、
前記変更指示の対象となった表示領域である指示対象表示領域以外の表示領域の各々について、その表示領域に表示される画像に対して、前記指示対象表示領域に表示される画像に対する表示状態の変更と連動させて前記変更指示に基づく表示状態の変更を適用する、連動対象表示領域とするか否かを決定する連動可否決定手段と、
前記指示対象表示領域に表示される画像に対して前記変更指示に基づく表示状態の変更を適用するとともに、それと連動させて、前記連動対象表示領域に表示される画像に対して前記変更指示に基づく表示状態の変更を適用する表示状態変更手段と、
を有し、
前記連動可否決定手段は、前記変更指示を取得したときの各表示領域に表示される画像の表示倍率に基づいて、各表示領域を連動対象表示領域とするか否かを決定する表示画面生成装置である。